(57)【要約】【課題】吹出口中央部で吹出された空気の流れの乱れを抑え、上下風向変更羽根の露付きを防止することができる空気調和機を提供する。【解決手段】温度調整された空気を吹き出す吹出口４を有する吹出グリル４ａと、前記吹出口４に設けられ吹出される空気の上下方向の風向を調整する上下風向変更羽根６と、前記吹出口４に設けられ左右方向の風向を調整する左右風向変更羽根７と、前記上下風向変更羽根６を回動駆動する駆動源１０と、前記吹出グリル４ａに設けられ前記上下風向変更羽根６の前記吹出口４の水平方向の中央部を支持する支点部１１とを備え、前記支点部１１は、吹出される空気を誘う形状をとったもので、吹出口４中央部で吹出された空気の流れの乱れを抑え、上下風向変更羽根６への露付き防止し、同時に広角な風向制御を実現させるための広角軌道も確保することが可能となる。【選択図】図３
2009250500.tif 000002
【特許請求の範囲】
【請求項１】
温度調整された空気を吹き出す吹出口を有する吹出グリルと、前記吹出口に設けられ吹出される空気の上下方向の風向を調整する上下風向変更羽根と、前記吹出口に設けられ左右方向の風向を調整する左右風向変更羽根と、前記上下風向変更羽根を回動駆動する駆動源と、前記吹出グリルに設けられ前記上下風向変更羽根の前記吹出口水平方向の中央部を支持する支点部とを備え、前記支点部は、吹出される空気を誘う形状をとったことを特徴とした空気調和機。
【発明の詳細な説明】
【技術分野】
【０００１】
本発明は、空気調和機に関するものであり、特に、空気調和機の室内機における風向変更羽根の露付き防止構造に関するものである。
【背景技術】
【０００２】
従来の空気調和機の室内機に設けた吹出グリルについて図５及び図６に基づき説明する。図５は、従来の空気調和機の吹出グリル構造図、図６は、図５の吹出グリル断面Ｃ−Ｃの簡易図である。
【０００３】
図５、６において、従来の空気調和機の吹出グリル２２には、吹出される風の向きを上下・左右に変更する風向変更装置１９が設けられており、風向変更装置１９は、上下方向の風向を調整する上下風向変更羽根２１と、左右方向の風向を調整する左右風向変更羽根２６から構成されている。上下風向変更羽根２１は、通常１枚で構成され、その一方の端部にある軸部２３は、ステッピングモータなどの軸の駆動源２４に直結されている。また、上下風向変更羽根２１の吹出口水平方向の中央部は、吹出グリル２２上に設けられた支点２５によって支持されている。なお、支点２５は、吹出される空気を整流する機能も果たしている。また、左右方向の風向を調整する左右風向変更羽根２６は、中央部を境に左右にそれぞれ２分割して構成されている（例えば、特許文献１参照）。
【特許文献１】特開２００２−１０６９４４号公報
【発明の開示】
【発明が解決しようとする課題】
【０００４】
しかしながら、前記従来の空気調和機の構成では、左右風向変更羽根２６の広角な風向制御を実現させるための広角軌道を確保するため、元来吹出される空気を整流する機能を果たしていた支点２５にも限界があり、図６のように、左右風向変更羽根２６は、中央部を境に左右にそれぞれ２分割して構成されている右部および左部の左右風向変更羽根２６をそれぞれ外側に回動し、左右風向変更羽根２６の広角軌道を確保した場合、吹出口中央部は、中央風向羽根Ａ、Ａ’を通過する風量が少なくなり、二次空気２０の回り込み空気の流れに乱れが生じ、上下風向変更羽根２１の中央付近２７において、露付きが発生するという課題を有していた。
【０００５】
本発明は、前記従来の課題を解決するもので、吹出口中央部で吹出された空気の流れの乱れを抑え、上下風向変更羽根への露付きを防止することができる空気調和機を提供することを目的とする。
【課題を解決するための手段】
【０００６】
前記従来の課題を解決するために、本発明の空気調和機は、温度調整された空気を吹き出す吹出口を有する吹出グリルと、前記吹出口に設けられ吹出される空気の上下方向の風向を調整する上下風向変更羽根と、前記吹出口に設けられ左右方向の風向を調整する左右風向変更羽根と、前記上下風向変更羽根を回動駆動する駆動源と、前記吹出グリルに設けられ前記上下風向変更羽根の前記吹出口水平方向の中央部を支持する支点部とを備え、前記支点部は、吹出される空気を誘う形状をとったもので、吹出口中央部で吹出された空気の流れの乱れを抑え、上下風向変更羽根への露付き防止し、同時に広角な風向制御を実現させるための広角軌道も確保することが可能となる。
【発明の効果】
【０００７】
本発明の空気調和機は、吹出口中央部で吹出された空気の流れの乱れを抑えることで、
上下風向変更羽根への露付きを防止し、同時に左右風向変更羽根の広角軌道を確保することで、快適性向上を図ることが可能となる。
【発明を実施するための最良の形態】
【０００８】
第１の発明は、温度調整された空気を吹き出す吹出口を有する吹出グリルと、前記吹出口に設けられ吹出される空気の上下方向の風向を調整する上下風向変更羽根と、前記吹出口に設けられ左右方向の風向を調整する左右風向変更羽根と、前記上下風向変更羽根を回動駆動する駆動源と、前記吹出グリルに設けられ前記上下風向変更羽根の前記吹出口水平方向の中央部を支持する支点部とを備え、前記支点部は、吹出される空気を誘う形状をとったもので、吹出口中央部で吹出された空気の流れの乱れを抑え、上下風向変更羽根への露付き防止し、同時に広角な風向制御を実現させるための広角軌道も確保することが可能となる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における空気調和機の室内機本体の外観斜視図、図２は、同室内機本体の吹出グリルに設けた風向変更装置全体の簡易図、図３は、図２の断面Ａ−Ａの簡易図、図４は、図２の断面Ｂ−Ｂの簡易図である。
【００１１】
図１〜４において、本実施の形態における空気調和機の室内機本体１４の台枠１は、居住空間の壁面に取付けられ、その台枠１に、前面枠２が取付けられる。この前面枠２のさらに前面にはパネル３を備えている。
【００１２】
また前面枠２の下部には、居住空間へ温度調整した空気を送り出す吹出口４を有する吹出グリル４ａが配設されており、さらに吹出口４には、温度調整された空気の吹出角度（風向）を変更し、且つ、運転停止時には、吹出口４を閉塞する風向変更装置５が設けられている。また、図２に示すように、風向変更装置５は、上下方向の空気吹出角度を変更する上下風向変更羽根６と、左右方向の空気吹出角度を変更する左右風向変更羽根７とで構成され、その一方の端部にある上下風向変更羽根６の軸部８は、ステッピングモータ９などの軸の駆動源１０に直結されている。そして、リード線９ａを介して制御装置（図示せず）と電気的に接続されたステッピングモータ９により、上下風向変更羽根６を回動駆動して、上下方向の空気吹出角度を変更することができるようになっている。
【００１３】
また、左右方向の空気吹出角度を手動調整する左右風向変更羽根７は、中央部を境に左右にそれぞれ２分割して構成されている。また、上下風向変更羽根６の吹出口４の水平方向の中央部は、吹出グリル４ａ上に設けられた支点部１１によって支持されている。なお、支点部１１は、図３に示すように、吹出される空気を整流する機能も果たし、吹出された空気を誘う形状に、具体的には、断面形状が略三角形に成形されている。
【００１４】
本実施の形態における空気調和機は以上のように構成されているので、吹出口４の中央部で吹出された空気の流れの乱れを抑え、二次空気の回り込みを防ぎ、それにより、上下風向変更羽根６の中央付近１２での露付きを防止し、同時に左右風向変更羽根７の広角軌道を確保することで、快適性向上を図ることが可能となる。
【産業上の利用可能性】
【００１５】
以上のように、本発明にかかる空気調和機は、吹出口中央部で吹出された空気の流れの乱れを抑え、上下風向変更羽根への露付きを防止することができるもので、壁掛け用の空気調和機だけでなく、天井埋め込み型の空気調和機でも同様の効果を得ることができる。
【図面の簡単な説明】
【００１６】
【図１】本発明の実施の形態１における空気調和機の室内機本体外観斜視図
【図２】同室内機本体の吹出グリルに設けた風向変更装置全体の簡易図
【図３】図２の断面Ａ−Ａの簡易図
【図４】図２の断面Ｂ−Ｂの簡易図
【図５】従来の空気調和機の吹出グリル構造図
【図６】図５の吹出グリル断面Ｃ−Ｃの簡易図
【符号の説明】
【００１７】
１  台枠
２  前面枠
３  パネル
４  吹出口
４ａ  吹出グリル
５  風向変更装置
６  上下風向変更羽根
７  左右風向変更羽根
８  軸部
９  ステッピングモータ
９ａ  リード線
１０  駆動源
１１  支点部
【図１】
2009250500.tif 000003
【図２】
2009250500.tif 000004
【図３】
2009250500.tif 000005
【図４】
2009250500.tif 000006
【図５】
2009250500.tif 000007
【図６】
2009250500.tif 000008